(57)【特許請求の範囲】
【請求項１】
ＮＡＮＤ回路と、第１のＡＮＤ回路と、レーザドライバと、レーザを具備し、前記ＮＡＮＤ回路においてキャリアクロック信号を低速側デジタルベースバンド信号で第１の振幅変調信号に振幅変調し、該第１の振幅変調信号を前記第１のＡＮＤ回路において前記キャリアクロック信号の周波数の半分以下で且つ前記低速側デジタルベースバンド信号よりも充分に高いビットレート周波数の高速側デジタルベースバンド信号で第２の振幅変調信号に振幅変調し、該第２の振幅変調信号を前記レーザドライバに入力して所定レベルに調整し、前記レーザドライバからの出力信号で前記レーザを駆動して前記第２の振幅変調信号を光信号に変換することを特徴とする送信回路。
【請求項２】
光電変換回路と、第１のバッファ回路と、バンドパスフィルタと、同期検波回路と、ベースバンド成分抽出回路と、第１および第２のクロック／データ再生回路とを具備し、
前記請求項１に記載の送信回路から入力する光信号を前記光電変換回路で電気信号に変換し、該変換された電気信号を前記第１のバッファ回路で２分岐し、該２分岐した一方を前記第１のバンドパスフィルタに入力して前記キャリアクロック信号を抽出し、該抽出した前記キャリアクロック信号を前記同期検波回路に入力して前記低速側デジタルベースバンド信号を検波し、該検波した前記低速側デジタルベースバンド信号を前記第１のクロック／データ再生回路に入力してデータ再生を行い、前記分岐した他方を前記ベースバンド成分抽出回路に入力して前記高速側デジタルベースバンド信号を抽出し、該抽出した前記高速側デジタルベースバンド信号を前記第２のクロック／データ再生回路に入力してデータ再生を行うことを特徴とする受信回路。
【請求項３】
光電変換回路と、第１のバッファ回路と、バンドパスフィルタと、包絡線検波回路と、ベースバンド成分抽出回路と、第１および第２のクロック／データ再生回路とを具備し、
前記請求項１に記載の送信回路から入力する光信号を前記光電変換回路で電気信号に変換し、該変換された電気信号を前記第１のバッファ回路で２分岐し、該２分岐した一方を前記第１のバンドパスフィルタに入力して前記キャリアクロック信号を抽出し、該抽出した前記キャリアクロック信号を前記包絡線検波回路に入力して前記低速側デジタルベースバンド信号を検波し、該検波した前記低速側デジタルベースバンド信号を前記第１のクロック／データ再生回路に入力してデータ再生を行い、前記分岐した他方を前記ベースバンド成分抽出回路に入力して前記高速側デジタルベースバンド信号を抽出し、該抽出した前記高速側デジタルベースバンド信号を前記第２のクロック／データ再生回路に入力してデータ再生を行うことを特徴とする受信回路。
【請求項４】
光電変換回路と、バッファ回路と、バンドパスフィルタと、二乗検波回路と、ベースバンド成分抽出回路と、第１および第２のクロック／データ再生回路とを具備し、
前記請求項１に記載の送信回路から入力する光信号を前記光電変換回路で電気信号に変換し、該変換された電気信号を前記第１のバッファ回路で２分岐し、該２分岐した一方を前記第１のバンドパスフィルタに入力して前記キャリアクロック信号を抽出し、該抽出した前記キャリアクロック信号を前記二乗検波回路に入力して前記低速側デジタルベースバンド信号を検波し、該検波した前記低速側デジタルベースバンド信号を前記第１のクロック／データ再生回路に入力してデータ再生を行い、前記分岐した他方を前記ベースバンド成分抽出回路に入力して前記高速側デジタルベースバンド信号を抽出し、該抽出した前記高速側デジタルベースバンド信号を前記第２のクロック／データ再生回路に入力してデータ再生を行うことを特徴とする受信回路。
【請求項５】
請求項２、３又は４のいずれか１つの受信回路において、
前記ベースバンド成分抽出回路は、前記高速側デジタルベース信号を抽出するローパスフィルタを具備することを特徴とする受信回路。
【請求項６】
請求項２、３又は４のいずれか１つの受信回路において、
前記ベースバンド成分抽出回路は、第２のバッファ回路と、ＯＲ回路と、ローパスフィルタとを具備し、前記第２のバッファ回路において入力信号を２分岐し、該２分岐した２個の信号を前記キャリアクロック信号の半周期分だけ位相差を付けて前記ＯＲ回路に入力して前記キャリアクロック信号成分をキャンセルし、前記ＯＲ回路の出力信号を前記ローパスフィルタに入力することで雑音を取り除いた高速側デジタルベースバンド信号を抽出することを特徴とする受信回路。
【請求項７】
請求項２、３又は４のいずれか１つの受信回路において、
前記ベースバンド成分抽出回路は、第２、第３のバッファ回路と、ＯＲ回路と、ローパスフィルタと、第２のＡＮＤ回路とを具備し、前記第２のバッファ回路において入力信号を２分岐し、該２分岐した２個の信号を前記キャリアクロック信号の半周期分だけ位相差をつけて前記ＯＲ回路に入力してキャリアクロック信号成分をキャンセルし、前記ＯＲ回路の出力信号を前記ローパスフィルタに入力することで雑音を取り除き、前記ローパスフィルタの出力信号を前記第３のバッファ回路において２分岐し、該２分岐した２個の信号を前記キャリアクロック信号の１／４周期分だけ位相差をつけて前記第２のＡＮＤ回路に入力してデューティ変動を抑圧した高速側デジタルベースバンド信号を抽出することを特徴とする受信回路。
【発明の詳細な説明】
【０００１】
【発明の属する技術分野】
本発明は、光ヘッドエンド回路に使用される送信回路および受信回路に関するものである。
【０００２】
【従来の技術】
図１１に光ヘッドエンド回路の従来の送信回路の構成を示す。信号入力ライン１から高速側デジタルベースバンド信号Ａが入力され、信号入力ライン２から低速側デジタルベースバンド信号Ｃでキャリアを振幅変調した振幅変調（ＡＳＫ）信号Ｂが入力される。両信号Ａ，Ｂは加算器３において多重化され、ノード４に多重信号Ｄとして出力される。このノード４から線形性に優れたレーザドライバ５に入力された多重信号Ｄは、レーザ７の線形動作領域に適した信号パワーに調整されてノード６に出力され、レーザ７において電気信号から光信号Ｅ０１となる。この光信号Ｅ０１は、光ファイバ８に入力し、この光ファイバ８の反対側に対向する受信装置に入力される。
【０００３】
【発明が解決しようとする課題】
ところが、経済性に重点をおいたとき、レーザドライバ５として、図１２に示すように、線形性の優れない（デジタル信号用の）レーザドライバ５Ａを使用することが行われる。しかし、この場合は、レーザドライバ５Ａにおいて、多重信号Ｄの中の振幅変調信号Ｂの振幅が抑圧され、それに対応する光信号Ｅ０２がレーザ７から出力するため、光ファイバ８を経由した受信側において、振幅変調信号Ｂから低速側デジタルベースバンド信号Ｃを復調することができなくなってしまうという問題がある。
【０００４】
本発明の目的は、線形性に優れないデジタル信号用のレーザドライバを用いてレーザを駆動する場合であっても、振幅変調信号成分が抑圧されることがないようにし、デジタル信号用のレーザドライバを使用可能とし、経済性に優れた送信回路およびその出力光信号を受信する受信回路を提供することである。
【０００５】
【課題を解決するための手段】
請求項１にかかる発明は、ＮＡＮＤ回路と、第１のＡＮＤ回路と、レーザドライバと、レーザを具備し、前記ＮＡＮＤ回路においてキャリアクロック信号を低速側デジタルベースバンド信号で第１の振幅変調信号に振幅変調し、該第１の振幅変調信号を前記第１のＡＮＤ回路において前記キャリアクロック信号の周波数の半分以下で且つ前記低速側デジタルベースバンド信号よりも充分に高いビットレート周波数の高速側デジタルベースバンド信号で第２の振幅変調信号に振幅変調し、該第２の振幅変調信号を前記レーザドライバに入力して所定レベルに調整し、前記レーザドライバからの出力信号で前記レーザを駆動して前記第２の振幅変調信号を光信号に変換することを特徴とする送信回路とした。
【０００６】
請求項２にかかる発明は、光電変換回路と、第１のバッファ回路と、バンドパスフィルタと、同期検波回路と、ベースバンド成分抽出回路と、第１および第２のクロック／データ再生回路とを具備し、前記請求項１にかかる発明の送信回路から入力する光信号を前記光電変換回路で電気信号に変換し、該変換された電気信号を前記第１のバッファ回路で２分岐し、該２分岐した一方を前記第１のバンドパスフィルタに入力して前記キャリアクロック信号を抽出し、該抽出した前記キャリアクロック信号を前記同期検波回路に入力して前記低速側デジタルベースバンド信号を検波し、該検波した前記低速側デジタルベースバンド信号を前記第１のクロック／データ再生回路に入力してデータ再生を行い、前記分岐した他方を前記ベースバンド成分抽出回路に入力して前記高速側デジタルベースバンド信号を抽出し、該抽出した前記高速側デジタルベースバンド信号を前記第２のクロック／データ再生回路に入力してデータ再生を行うことを特徴とする受信回路とした。
【０００７】
請求項３にかかる発明は、光電変換回路と、第１のバッファ回路と、バンドパスフィルタと、包絡線検波回路と、ベースバンド成分抽出回路と、第１および第２のクロック／データ再生回路とを具備し、前記請求項１にかかる発明の送信回路から入力する光信号を前記光電変換回路で電気信号に変換し、該変換された電気信号を前記第１のバッファ回路で２分岐し、該２分岐した一方を前記第１のバンドパスフィルタに入力して前記キャリアクロック信号を抽出し、該抽出した前記キャリアクロック信号を前記包絡線検波回路に入力して前記低速側デジタルベースバンド信号を検波し、該検波した前記低速側デジタルベースバンド信号を前記第１のクロック／データ再生回路に入力してデータ再生を行い、前記分岐した他方を前記ベースバンド成分抽出回路に入力して前記高速側デジタルベースバンド信号を抽出し、該抽出した前記高速側デジタルベースバンド信号を前記第２のクロック／データ再生回路に入力してデータ再生を行うことを特徴とする受信回路とした。
【０００８】
請求項４にかかる発明は、光電変換回路と、バッファ回路と、バンドパスフィルタと、二乗検波回路と、ベースバンド成分抽出回路と、第１および第２のクロック／データ再生回路とを具備し、前記請求項１にかかる発明の送信回路から入力する光信号を前記光電変換回路で電気信号に変換し、該変換された電気信号を前記第１のバッファ回路で２分岐し、該２分岐した一方を前記第１のバンドパスフィルタに入力して前記キャリアクロック信号を抽出し、該抽出した前記キャリアクロック信号を前記二乗検波回路に入力して前記低速側デジタルベースバンド信号を検波し、該検波した前記低速側デジタルベースバンド信号を前記第１のクロック／データ再生回路に入力してデータ再生を行い、前記分岐した他方を前記ベースバンド成分抽出回路に入力して前記高速側デジタルベースバンド信号を抽出し、該抽出した前記高速側デジタルベースバンド信号を前記第２のクロック／データ再生回路に入力してデータ再生を行うことを特徴とする受信回路とした。
【０００９】
請求項５にかかる発明は、請求項２、３又は４の１つにかかる発明において、前記ベースバンド成分抽出回路は、前記高速側デジタルベース信号を抽出するローパスフィルタを具備することを特徴とする受信回路とした。
【００１０】
請求項６にかかる発明は、請求項２、３又は４のいずれか１つにかかる発明において、前記ベースバンド成分抽出回路は、第２のバッファ回路と、ＯＲ回路と、ローパスフィルタとを具備し、前記第２のバッファ回路において入力信号を２分岐し、該２分岐した２個の信号を前記キャリアクロック信号の半周期分だけ位相差を付けて前記ＯＲ回路に入力して前記キャリアクロック信号成分をキャンセルし、前記ＯＲ回路の出力信号を前記ローパスフィルタに入力することで雑音を取り除いた高速側デジタルベースバンド信号を抽出することを特徴とする受信回路とした。
【００１１】
請求項７にかかる発明は、請求項２、３又は４のいずれか１つにかかる発明において、前記ベースバンド成分抽出回路は、第２、第３のバッファ回路と、ＯＲ回路と、ローパスフィルタと、第２のＡＮＤ回路とを具備し、前記第２のバッファ回路において入力信号を２分岐し、該２分岐した２個の信号を前記キャリアクロック信号の半周期分だけ位相差をつけて前記ＯＲ回路に入力してキャリアクロック信号成分をキャンセルし、前記ＯＲ回路の出力信号を前記ローパスフィルタに入力することで雑音を取り除き、前記ローパスフィルタの出力信号を前記第３のバッファ回路において２分岐し、該２分岐した２個の信号を前記キャリアクロック信号の１／４周期分だけ位相差をつけて前記第２のＡＮＤ回路に入力してデューティ変動を抑圧した高速側デジタルベースバンド信号を抽出することを特徴とする受信回路とした。
【００１２】
【発明の実施の形態】
本発明では、ＮＡＮＤ回路により低速側デジタルベースバンド信号でキャリアクロック信号を振幅変調（第１の振幅変調）し、その振幅変調信号をＡＮＤ回路により高速側デジタルベースバンド信号によりさらに振幅変調（第２の振幅変調）する。これにより、線形性に優れないデジタル信号用レーザドライバを使用してレーザを駆動する場合でも、第２の振幅変調中における第１の振幅変調信号の振幅が抑圧されることはない。
【００１３】
また、このとき、高速側デジタルベースバンド信号のビットレート周波数は低速側デジタルベースバンド信号のそれより充分高速とし、キャリアクロック信号の周波数は高速側デジタルベースバンド信号のビットレート周波数の２倍以上とする。これにより、第２の振幅変調信号のスペクトル内の高速デジタルベースバンド信号成分と他のスペクトル成分が重ならないため、復調時に、第２の振幅変調信号から高速側デジタルベースバンド成分を抽出するときその信号劣化を抑圧できる。また、低速側デジタルベースバンド信号は、第２の振幅変調信号からキャリアクロック信号成分を抽出した後、同期検波、包絡線検波、又は二乗検波することで復調できる。
【００１４】
［第１の実施形態］
図１は請求項１に対応する第１の実施形態の送信回路のブロック図である。本送信回路は、ＮＡＮＤ回路９と、ＡＮＤ回路１０と、デジタル信号用のレーザドライバ５Ａと、レーザ７を具備する。
【００１５】
ＮＡＮＤ回路９は、信号入力ライン１１から入力する低速側デジタルベースバンド信号Ｃによって、信号入力ライン１２から入力するキャリアクロック信号Ｆを振幅変調し、ノード２に第１の振幅変調信号Ｂ１として出力する。ＡＮＤ回路１０は、このノード２から入力する第１の振幅変調信号Ｂ１を信号入力ライン１から入力する高速側デジタルベースバンド信号Ａによって振幅変調し、ノード４に第２の振幅変調信号（ASK over ASK多重信号)Ｄ１として出力する。高速側デジタルベースバンド信号Ａのビットレート周波数は低速側デジタルベースバンド信号Ｃのそれより充分高速であり、キャリアクロック信号Ｆの周波数は高速側デジタルベースバンド信号Ａのビットレート周波数の２倍以上である。第２の振幅変調信号Ｄ１は、レーザドライバ５Ａに入力され所定の信号パワーに調整されてノード６に出力され、レーザ７において電気信号から光信号Ｅ１に変換される。この光信号Ｅ１は、光ファイバ８に入力し、この光ファイバ８の反対側に対向する受信装置に入力される。
【００１６】
ＳＥ１はこの光信号Ｅ１のスペクトルを示す特性であり、ｓ１１，ｓ１２，ｓ１３は高速側デジタルベースバンド信号Ａの成分のスペクトル、ｓ１４は第１の振幅変調信号Ｂ１の成分のスペクトルである。
【００１７】
［第２の実施形態］
図２は請求項２に対応する第２の実施形態の受信回路のブロック図である。本受信回路は、光電変換回路としてのフォトダイオード１３および電気アンプ１４と、信号２分岐用のバッファ回路１５と、キャリアクロック信号成分抽出用のバンドパスフィルタ１６と、低速側デジタルベースバンド信号成分抽出用の同期検波回路１７と、第１のクロック／データ再生（ＣＤＲ）回路１８と、高速側デジタルベースバンド信号抽出用のベースバンド成分抽出回路１９と、第２のクロック／データ再生（ＣＤＲ）回路２０を具備する。
【００１８】
光ファイバ８から入力する光信号Ｅ１は、フォトダイオード１３に入力して電気信号に変換され、ノード２１を経由して電気アンプ１４に入力される。電気アンプ１４において適度な振幅に増幅された入力信号は、ノード２２からバッファ回路１５に入力して２分岐される。この２分岐された一方の信号は、ノード２３を介してバンドパスフィルタ１６に入力してキャリアクロック信号成分が抽出される。このキャリアクロック信号成分は、ノード２４を介して同期検波回路１７に入力し、ここでキャリアクロック信号Ｆと同じ周波数の信号を使用した同期検波処理により低速側デジタルベースバンド信号Ｃが検波される。この低速側デジタルベースバンド信号Ｃはノード２５を介して第１のクロック／データ再生回路１８に入力され、ここでクロック再生およびその再生クロックによるデータのリタイミング処理が行われる。前記バッファ回路１５で２分岐された他方の信号は、ノード２６を介してベースバンド成分抽出回路１９に入力し、ここで高速側デジタルベースバンド信号Ａが抽出される。この高速側デジタルベースバンド信号Ａはノード２７を介して第２のクロック／データ再生回路１８に入力され、ここでクロック再生およびその再生クロックによるデータのリタイミング処理が行われる。
【００１９】
ここで、高速側デジタルベースバンド信号Ａのビットレート周波数は、低速側デジタルベースバンド信号Ｃのビットレートより充分高速であり且つキャリアクロック信号Ｆの周波数の１／２以下の周波数であるので、それら信号Ｃ、Ｆの影響を受けることなく適正に復調される。
【００２０】
［第３の実施形態］
図３は請求項３に対応する第３の実施形態の受信回路のブロック図である。本受信回路は、光電変換回路としてのフォトダイオード１３および電気アンプ１４と、信号２分岐用のバッファ回路１５と、キャリアクロック信号成分抽出用のバンドパスフィルタ１６と、低速側デジタルベースバンド信号成分抽出用の包絡線検波回路１７Ａと、第１のクロック／データ再生（ＣＤＲ）回路１８と、高速側デジタルベースバンド信号抽出用のベースバンド成分抽出回路１９と、第２のクロック／データ再生（ＣＤＲ）回路２０を具備する。
【００２１】
光ファイバ８から入力する光信号Ｅ１は、フォトダイオード１３に入力して電気信号に変換され、ノード２１を経由して電気アンプ１４に入力される。電気アンプ１４において適度な振幅に増幅された入力信号は、ノード２２からバッファ回路１５に入力して２分岐される。この２分岐された一方の信号は、ノード２３を介してバンドパスフィルタ１６に入力してキャリアクロック信号成分が抽出される。このキャリアクロック信号成分は、ノード２４を介して包絡線検波回路１７Ａに入力し、ここで整流や平滑処理を使用した包絡線検波処理により低速側デジタルベースバンド信号Ｃが検波される。この低速側デジタルベースバンド信号Ｃはノード２５を介して第１のクロック／データ再生回路１８に入力され、ここでクロック再生およびその再生クロックによるデータのリタイミング処理が行われる。前記バッファ回路１５で２分岐された他方の信号は、ノード２６を介してベースバンド成分抽出回路１９に入力し、ここで高速側デジタルベースバンド信号Ａが抽出される。この高速側デジタルベースバンド信号Ａはノード２７を介して第２のクロック／データ再生回路１８に入力され、ここでクロック再生およびその再生クロックによるデータのリタイミング処理が行われる。
【００２２】
ここで、高速側デジタルベースバンド信号Ａのビットレート周波数は、低速側デジタルベースバンド信号Ｃのビットレートより充分高速であり且つキャリアクロック信号Ｆの周波数の１／２以下の周波数であるので、それら信号Ｃ、Ｆの影響を受けることなく適正に復調される。
【００２３】
［第４の実施形態］
図４は請求項４に対応する第４の実施形態の受信回路のブロック図である。本受信回路は、光電変換回路としてのフォトダイオード１３および電気アンプ１４と、信号２分岐用のバッファ回路１５と、キャリアクロック信号成分抽出用のバンドパスフィルタ１６と、低速側デジタルベースバンド信号成分抽出用の二乗検波回路１７Ｂと、第１のクロック／データ再生（ＣＤＲ）回路１８と、高速側デジタルベースバンド信号抽出用のベースバンド成分抽出回路１９と、第２のクロック／データ再生（ＣＤＲ）回路２０を具備する。
【００２４】
光ファイバ８から入力する光信号Ｅ１は、フォトダイオード１３に入力して電気信号に変換され、ノード２１を経由して電気アンプ１４に入力される。電気アンプ１４において適度な振幅に増幅された入力信号は、ノード２２からバッファ回路１５に入力して２分岐される。この２分岐された一方の信号は、ノード２３を介してバンドパスフィルタ１６に入力してキャリアクロック信号成分が抽出される。このキャリアクロック信号成分は、ノード２４を介して二乗検波回路１７Ｂに入力し、ここでダイオードやトランジスタ等の電圧／電流特性の非直線性を利用した二乗検波処理により低速側デジタルベースバンド信号Ｃが検波される。この低速側デジタルベースバンド信号Ｃはノード２５を介して第１のクロック／データ再生回路１８に入力され、ここでクロック再生およびその再生クロックによるデータのリタイミング処理が行われる。前記バッファ回路１５で２分岐された他方の信号は、ノード２６を介してベースバンド成分抽出回路１９に入力し、ここで高速側デジタルベースバンド信号Ａが抽出される。この高速側デジタルベースバンド信号Ａはノード２７を介して第２のクロック／データ再生回路１８に入力され、ここでクロック再生およびその再生クロックによるデータのリタイミング処理が行われる。
【００２５】
ここで、高速側デジタルベースバンド信号Ａのビットレート周波数は、低速側デジタルベースバンド信号Ｃのビットレートより充分高速であり且つキャリアクロック信号Ｆの周波数の１／２以下の周波数であるので、それら信号Ｃ、Ｆの影響を受けることなく適正に復調される。
【００２６】
［第５の実施形態］
図５は請求項５に対応する第５の実施形態のベースバンド成分抽出回路１９のブロック図、図６はその動作波形図である。このベースバンド成分抽出回路１９は、ローパスフィルタ１９１からなる。
【００２７】
バッファ回路１５からノード２６を介してベースバンド成分抽出回路１９のローパスフィルタ１９１に振幅変調信号Ｄ１が入力すると、その振幅変調信号Ｄ１から高速側デジタルベースバンド信号成分（図１のスペクトルｓ１１）が切り出され、高速側デジタルベースバンド信号Ａが抽出される。このとき、振幅変調信号Ｄ１において、キャリアクロック信号Ｆの成分がある部分（低速側デジタルベースバンド信号Ｃがマークの部分）については、それ以外の部分よりもローパスフィルタ１９１の出力信号Ａ０１の振幅が小さくなり、またキャリアクロック信号Ｆの半周期分の時間τのデューティ変動分Ｘ１が生じるが、この信号Ａ０１が後段の第２のクロック／データ再生回路２０に入力することにより、クロックとデータＡ０２が再生される。このように、第５の実施形態のベースバンド抽出回路では、ローパスフィルタ１９１のみで高速側デジタルベースバンド信号Ａを抽出することができる。
【００２８】
［第６の実施形態］
図７は請求項６に対応する第６の実施形態のベースバンド成分抽出回路１９ののブロック図、図８はその動作波形図である。このベースバンド成分抽出回路１９は、ローパスフィルタ１９１と、信号を２分岐するバッファ回路１９２と、キャリアクロック信号Ｆの半周期だけの遅延時間τをもつ遅延回路１９３と、ＯＲ回路１９４とからなる。
【００２９】
バッファ回路１５からノード２６を介してベースバンド成分抽出回路１９のバッファ回路１９２に入力された振幅変調信号Ｄ１は、そのバッファ回路１９２で２分岐されて、その一方はそのままＯＲ回路１９４に入力し、他方は遅延回路１９３で時間τだけ遅延されてからＯＲ回路１９４に入力するので、そのＯＲ回路１９４でキャリアクロック信号Ｆの成分がキャンセルされ、ローパスフィルタ１９１に入力する。ローパスフィルタ１９１ではその振幅変調信号Ｄ１から高速側デジタルベースバンド信号（図１のスペクトルｓ１１）が切り出され、高速側デジタルベースバンド信号Ａが抽出される。このとき、低速側デジタルベースバンド信号Ｃのマーク部分はキャリアクロック信号Ｆ成分がキャンセルされるので、ローパスフィルタ１９１の出力信号Ａ１１に、図６の場合に生じていた時間τのデューティ変動分Ｘ１は生じないが、低速側デジタルベースバンド信号Ｃのスペース部分において時間τのデューティ変動分Ｘ２が生じる。この信号Ａ１１が後段の第２のクロック／データ再生回路２０に入力することにより、クロックとデータＡ１２が再生される。このように、第６の実施形態では、キャリアクロック信号Ｆの成分をキャンセルして高速側デジタルベースバンド信号Ａを抽出することができる。
【００３０】
［第７の実施形態］
図９は請求項７に対応する第７の実施形態のベースバンド成分抽出回路１９ののブロック図、図１０はその動作波形図である。このベースバンド成分抽出回路１９は、ローパスフィルタ１９１と、信号を２分岐するバッファ回路１９２と、キャリアクロック信号Ｆの半周期だけの遅延時間τをもつ遅延回路１９３と、ＯＲ回路１９４と、信号を２分岐する別のバッファ回路１９５と、キャリアクロック信号Ｆの1/4周期だけの遅延時間τ／２をもつ遅延回路１９６と、ＡＮＤ回路１９７からなる。
【００３１】
バッファ回路１５からノード２６を介してベースバンド成分抽出回路１９のバッファ回路１９２に入力された振幅変調信号Ｄ１は、そのバッファ回路１９２で２分岐されて、その一方はそのままＯＲ回路１９４に入力し、他方は遅延回路１９３で時間τだけ遅延されてからＯＲ回路１９４に入力するので、そのＯＲ回路１９４でキャリアクロック信号Ｆの成分がキャンセルされ、ローパスフィルタ１９１に入力する。ローパスフィルタ１９１では、その振幅変調信号Ｄ１から高速側デジタルベースバンド信号（図１のスペクトルｓ１１）が切り出され、高速側デジタルベースバンド信号Ａが抽出される。このとき、低速側デジタルベースバンド信号Ｃのスペース部分において時間τのデューティ変動分Ｘ２が生じるが、次段のバッファ回路１９５で２分岐された信号Ａ１１が遅延回路１９６による時間τ／２の位相差をもってＡＮＤ回路１９７に入力するので、２分岐した信号Ａ１１のマークが重なる部分をマークとする信号Ａ２０が出力する。この信号Ａ２０のデューティ変動分Ｘ３は信号Ａ１１のデューティ変動分Ｘ２に対して1/2に抑圧されている。そして、この信号Ａ２０が第２のクロック／データ再生回路２０に入力することにより、クロックとデータＡ１２が再生される。このように、第７の実施形態では、キャリアクロック信号Ｆの成分をキャンセルし、さらにデューティ変動が抑圧された高速側デジタルベースバンド信号Ａを抽出することができる。
【００３２】
【発明の効果】
以上から本発明によれば、送信回路では、低速側デジタルベースバンド信号でキャリアクロック信号をＮＡＮＤ回路により振幅変調した振幅変調信号を、高速側デジタルベースバンド信号でＡＮＤ回路により振幅変調するので、レーザドライバ、レーザ、電気アンプ等として、デジタル信号用の部品を使用して２個のデジタルベースバンド信号を同時に正確に変調することが可能となり、当該送信回路を経済的に構成することができる。
【００３３】
また、受信回路では、低速側デジタルベースバンド信号についてはバンドパスフィルタでキャリアクロック信号成分を抽出してから同期検波、包絡線検波又は二乗検波により検波し、高速側ベースバンド信号についてはベースバンド成分抽出回路によりこれを抽出するので、２個のデジタルベースバンド信号を同時に正確に復調することができる。
【図面の簡単な説明】
【図１】  本発明の第１の実施形態の送信回路のブロック図である。
【図２】  本発明の第２の実施形態の受信回路のブロック図である。
【図３】  本発明の第３の実施形態の受信回路のブロック図である。
【図４】  本発明の第４の実施形態の受信回路のブロック図である。
【図５】  本発明の第５の実施形態のベースバンド成分抽出回路のブロック図である。
【図６】  本発明の第５の実施形態のベースバンド成分抽出回路の動作波形図である。
【図７】  本発明の第６の実施形態のベースバンド成分抽出回路のブロック図である。
【図８】  本発明の第６の実施形態のベースバンド成分抽出回路の動作波形図である。
【図９】  本発明の第７の実施形態のベースバンド成分抽出回路のブロック図である。
【図１０】  本発明の第７の実施形態のベースバンド成分抽出回路の動作波形図である。
【図１１】  従来の送信回路のブロック図である。
【図１２】  従来の送信回路のブロック図である。
【符号の説明】
１，２：信号入力ライン、３：加算器、４：ノード、５，５Ａ：レーザドライバ、６：ノード、７：レーザ、８：光ファイバ、９：ＮＡＮＤ回路、１０：ＡＮＤ回路、１１，１２：信号入力ライン、１３：フォトダイオード、１４：電気アンプ、１５：バッファ回路、１６：バンドパスフィルタ、１７：同期検波回路、１７Ａ：包絡線検波回路、１７Ｂ：二乗検波回路、１８：クロック／データ再生回路、１９：ベースバンド成分抽出回路、１９１：ローパスフィルタ、１９２：バッファ回路、１９３：遅延回路、１９４：ＯＲ回路、１９５：バッファ回路、１９６：遅延回路、１９７：ＡＮＤ回路、２０：クロック／データ再生回路、２１〜２７：ノード。
【図１】
0003757389.tif 000002
【図２】
0003757389.tif 000003
【図３】
0003757389.tif 000004
【図４】
0003757389.tif 000005
【図５】
0003757389.tif 000006
【図６】
0003757389.tif 000007
【図７】
0003757389.tif 000008
【図８】
0003757389.tif 000009
【図９】
0003757389.tif 000010
【図１０】
0003757389.tif 000011
【図１１】
0003757389.tif 000012
【図１２】
0003757389.tif 000013